(57)【特許請求の範囲】
【請求項１】
発光体（３９）とその前側に配置された発光レンズ（３４）とを有する発光演出手段（２４）を備えた遊技機において、前記発光レンズ（３４）は、中心軸が前記発光体（３９）に対して前後方向に向くように配置された略円筒状の外周レンズ部（５１）と、この外周レンズ部（５１）の内側に同心状に配置された前向き膨出状の中心レンズ部（５２）と、前記外周レンズ部（５１）と前記中心レンズ部（５２）とをそれらの後端側で内外方向に連結する連結レンズ部（５３）とを一体に備え、前記発光演出手段（２４）は、前記発光体（３９）の前側に前後方向に配置され且つその前端側に前記発光レンズ（３４）を保持する略円筒状のレンズ保持部（３６）を備え、前記発光レンズ（３４）は、前記連結レンズ部（５３）から後ろ向きに突設された略円筒状の後部導光部（５４）を前記レンズ保持部（３６）の内周側に前側から嵌合させた状態で前記レンズ保持部（３６）に保持されていることを特徴とする遊技機。
【請求項２】
前記後部導光部（５４）は、前記外周レンズ部（５１）と前記中心レンズ部（５２）との間に対応して設けられており、前記連結レンズ部（５３）の前面側は後広がり又は前広がりの円錐面状に形成されていることを特徴とする請求項１に記載の遊技機。
【請求項３】
前記連結レンズ部（５３）は、前記後部導光部（５４）よりも内側の背面側が後広がりの円錐面状に形成されていることを特徴とする請求項１又は２に記載の遊技機。
【請求項４】
前記中心レンズ部（５２）は、若干前細りの円筒状に形成された導光部（５２ａ）とその前端側を塞ぐ発光部（５２ｂ）とで構成されていることを特徴とする請求項１〜３の何れかに記載の遊技機。
【請求項５】
前記外周レンズ部（５１）の内面側に、前後方向の突条部（５６）が周方向に所定間隔で配置されていることを特徴とする請求項１〜４の何れかに記載の遊技機。
【請求項６】
前記レンズ保持部（３６）は、二つのケース部材（３１ａ，３１ｂ）を結合することにより構成され、それら二つのケース部材（３１ａ，３１ｂ）側に、それらを結合したときに前記発光レンズ（３４）側の被係合部（５７ａ，５７ｂ）に係合して前記発光レンズ（３４）を固定する係合部（４９ａ，４９ｂ）を設け、前記発光レンズ（３４）側に、前記二つのケース部材（３１ａ，３１ｂ）を結合状態で保持する結合保持部（５９）を設けたことを特徴とする請求項１に記載の遊技機。
【発明の詳細な説明】
【技術分野】
【０００１】
本発明は、発光体とその前側に配置された発光レンズとを有する発光演出手段を備えたパチンコ機等の遊技機に関するものである。
【背景技術】
【０００２】
パチンコ機に代表される遊技機では、遊技盤に装着された各種遊技部品や遊技機本体の前面側等に発光演出手段が多数配置されている。この発光演出手段は、プラスチック製の発光レンズと、その後側に配置されるＬＥＤ等の発光体とを備え、遊技球の入賞等の一定の条件が満たされたときにそれら発光体を所定のパターンで発光させることにより、音声や画像表示による演出と共に遊技を盛り上げるようになっている。
【０００３】
この発光演出手段では、発光体から発せられた光は発光体の前側の導光空間を経て発光レンズに到達し、ここで例えば乱反射することによりこの発光レンズを光らせるようになっているが、例えば遊技盤に装着する遊技部品に設けられた発光演出手段では、配置スペース等の関係で発光レンズと発光体との間の距離を十分に近づけることができない場合がある。このような場合には、例えば発光レンズの後側にその発光レンズの形状に対応した導光部を突設し、その導光部の後端側を発光体の前側に近接させることにより、発光体から発せられた光を効率よく発光レンズまで到達させることができる（例えば特許文献１参照）。
【特許文献１】特許第２７５７１５２号公報
【発明の開示】
【発明が解決しようとする課題】
【０００４】
ところで、例えば一つの発光レンズに対して一つの発光体を配置する場合、発光レンズを異なる複数の部分、例えば中心部と外周部とに分けて夫々強く発光させることは難しい。例えば、発光レンズの厚さを変化させることで明暗の差をつけることはできても、その明暗差にはメリハリが無く、全体的にぼやけてしまう欠点がある。
【０００５】
また、例えば特許文献１に記載の導光部を発光レンズの中心部と外周部とに分けて設けることも考えられるが、一個の発光体から複数の導光部に均等に光を入れることは困難である。また、導光部は導光空間内に配置する必要があるため、例えば発光レンズの外周部が導光空間よりも外側に張り出しているような場合には、その張り出した外周部を光らせることはできない。
【０００６】
本発明は、上記事情に鑑みてなされたものであり、その目的とするところは、発光レンズの中心部と外周部とを別個に強く光らせることができ、しかも発光レンズの外周部が導光空間よりも外側に張り出している場合にも対応可能な遊技機を提供することにある。
【課題を解決するための手段】
【０００７】
本発明は、発光体３９とその前側に配置された発光レンズ３４とを有する発光演出手段２４を備えた遊技機において、前記発光レンズ３４は、中心軸が前記発光体３９に対して前後方向に向くように配置された略円筒状の外周レンズ部５１と、この外周レンズ部５１の内側に同心状に配置された前向き膨出状の中心レンズ部５２と、前記外周レンズ部５１と前記中心レンズ部５２とをそれらの後端側で内外方向に連結する連結レンズ部５３とを一体に備え、前記発光演出手段２４は、前記発光体３９の前側に前後方向に配置され且つその前端側に前記発光レンズ３４を保持する略円筒状のレンズ保持部３６を備え、前記発光レンズ３４は、前記連結レンズ部５３から後ろ向きに突設された略円筒状の後部導光部５４を前記レンズ保持部３６の内周側に前側から嵌合させた状態で前記レンズ保持部３６に保持されているものである。
【発明の効果】
【０００８】
本発明によれば、発光体３９から前向きに発せられた光が、主に中央の中心レンズ部５２に届いてこれを光らせると共に、中心レンズ部５２からの光が更に外側に屈折して外周レンズ部５１側を光らせることができる。これにより、外周レンズ部５１が導光空間よりも外側に張り出している場合でも、発光レンズ３４の中心部と外周部とを別個に強く光らせることができる。
【発明を実施するための最良の形態】
【０００９】
以下、本発明の実施形態を図面に基づいて詳述する。図１〜図８は本発明をパチンコ機に採用した一実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１０】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１１】
遊技盤５の前側には、発射手段により発射された遊技球を案内するガイドレール１２が略環状に装着されると共に、そのガイドレール１２内の遊技領域５ａには、その略中央にセンターケース１３が配置され、更にそのセンターケース１３の左側に通過ゲート１４が、下側に開閉式入賞手段１５及び大入賞手段１６が配置される他、普通入賞手段１７等の各種遊技部品が装着されている。
【００１２】
センターケース１３は、図２に示すように、例えば遊技盤５の裏側に装着された液晶式その他の画像表示手段１８用の表示窓１９を構成する表示枠体２０、この表示枠体２０の下部側に配置されるステージ２１、表示枠体２０の側方に設けられるワープ入球口２２、このワープ入球口２２に入球した遊技球をステージ２１に案内するワープ通路２３の他、例えば表示窓１９の上側に発光演出手段２４が設けられている。
【００１３】
この発光演出手段２４は、図３に示すように、表示枠体２０側に設けられた左右一対の揺動支持部２５により左右方向の軸廻りに揺動自在に支持されており、表示枠体２０側に配置された図示しない駆動モータにより、遊技状態に応じて上下方向に揺動駆動されるようになっている。
【００１４】
発光演出手段２４は、図３，図４等に示すように、上ケース部材３１ａと下ケース部材３１ｂとで構成されるケース体３１と、このケース体３１の後端側に装着される被駆動ギア３２と、ケース体３１の内部に配置されるＬＥＤ基板３３と、ケース体３１の前端側に配置される発光レンズ３４とを備えている。
【００１５】
ケース体３１は、例えば透光性が極めて低い合成樹脂製で、左右方向に長い本体ケース３５と、この本体ケース３５の前面側に一又は複数、例えば左右方向に三本設けられた前向き突出状のレンズ保持部３６とを備え、それら本体ケース３５及び三本のレンズ保持部３６の上半分が上ケース部材３１ａを、下半分が下ケース部材３１ｂを、夫々構成している。
【００１６】
本体ケース３５には、その左右両側に、揺動支持部２５側の軸受孔２５ａ（図３）により回転自在に保持される揺動軸３７が突設されている。また、本体ケース３５の内部には、左右方向細長状のＬＥＤ基板３３が、その前面３３ａを前側のレンズ保持部３６側に向けた状態で装着され、基板押さえ部材３８により例えば上ケース部材３１ａ側に固定されている。ＬＥＤ基板３３には、前面３３ａ側にレンズ保持部３６と同数、例えば三個のＬＥＤ（発光体）３９が、夫々レンズ保持部３６の後側に対応して配置されている。
【００１７】
また、本体ケース３５の後部側には、例えば左右方向略中央に前向き凹入状のギア装着部４１が、左右方向一端側に開口状のハーネス引き出し孔４２が夫々設けられており、図５，図６に示すように、被駆動ギア３２がギア装着部４１に着脱自在に固定され、ＬＥＤ基板３３の背面側に連結されたハーネス４３がハーネス引き出し孔４２から後側に引き出されている。被駆動ギア３２には、駆動モータの駆動により回転する駆動ギア４４が後側から噛合しており、駆動モータが作動して駆動ギア４４が正逆両方向に回転することにより、被駆動ギア３２を介して発光演出手段２４が左右方向の揺動軸３７廻りに揺動して、レンズ保持部３６の先端側が上下するようになっている。
【００１８】
また、本体ケース３５には、例えば下ケース部材３１ｂ側にねじ挿通孔４５ａが、上ケース部材３１ａ側にねじ挿通孔４５ａに対応するねじ止めボス４５ｂが夫々設けられており、固定ねじ４６をねじ挿通孔４５ａを介してねじ止めボス４５ｂにねじ込むことにより上ケース部材３１ａと下ケース部材３１ｂとが結合状態で固定されるようになっている。
【００１９】
レンズ保持部３６は、後端側が本体ケース３５内の空間に連通する前後方向の円筒状で、その先端側に発光レンズ３４が装着され、ＬＥＤ３９はその中心軸上に配置されており、その内部がＬＥＤ３９から発せられた光を発光レンズ３４側に導く導光空間となっている。レンズ保持部３６は、中心軸に対して上半分が上ケース部材３１ａ側に、下半分が下ケース部材３１ｂ側に夫々設けられ、それらの互いに対向する側縁部に沿ってその一方側に凸部４７ａが、他方側に凹溝４７ｂが夫々設けられており、上ケース部材３１ａと下ケース部材３１ｂとを上下に結合したとき、図５，図６に示すように凸部４７ａが凹溝４７ｂに嵌合して互いに位置決めされるようになっている。
【００２０】
また、レンズ保持部３６の先端面には、上ケース部材３１ａ側と下ケース部材３１ｂ側とに夫々それらの境界部を挟んで前向きの第１，第２突起部４８ａ，４８ｂが設けられており、上ケース部材３１ａと下ケース部材３１ｂとを上下に結合したとき、上ケース部材３１ａ側の第１突起部４８ａと下ケース部材３１ｂ側の第２突起部４８ｂとが上下に当接又は近接するようになっている。更に、レンズ保持部３６の先端部近傍の内面側には、図５に示すように、上ケース部材３１ａ側と下ケース部材３１ｂ側とに例えば突起状の第１，第２係合部４９ａ，４９ｂが夫々例えば一個ずつ設けられている。第１係合部４９ａと第２係合部４９ｂとは、例えば異なる大きさに形成され、またその配置位置はレンズ保持部３６の先端側からの距離が若干異なっている。
【００２１】
発光レンズ３４は、透光性の高い合成樹脂製で、図４〜図７に示すように、レンズ保持部３６と略同径の円筒状に形成された外周レンズ部５１と、この外周レンズ部５１の内側に同心状に配置された前向き膨出状の中心レンズ部５２と、それら外周レンズ部５１と中心レンズ部５２とをそれらの後端側で内外方向に連結する連結レンズ部５３と、この連結レンズ部５３から後ろ向きに突設された円筒状の後部導光部５４とを一体に備え、レンズ保持部３６の先端側に後部導光部５４を前側から嵌合させた状態でレンズ保持部３６に着脱自在に固定されている。
【００２２】
外周レンズ部５１の外周面には、例えば先端側の一部を除き乱反射部５５が形成されている。この乱反射部５５は、軸方向の凹凸条を周方向に連続的に多数形成することにより構成しているが、例えば周方向の凹凸条を軸方向に多数形成する等、異なる形態を採用してもよい。また、外周レンズ部５１の内周面は、その先端側の一部分が前広がりの円錐面状に形成されると共に、軸方向の突条部５６が周方向に所定間隔で配置されている。なお、内周面側の突条部５６は、外周面側の乱反射部５５を構成する凹凸条よりも周方向の幅及び間隔が広くなっている。
【００２３】
中心レンズ部５２は、若干先細りの円筒状に形成された導光部５２ａと、その導光部５２ａの前端側を塞ぐ例えば略半球状の発光部５２ｂとで構成されている。なお、中心レンズ部５２の内面側と外面側との少なくとも一方に乱反射部を形成してもよい。
【００２４】
連結レンズ部５３は、外周レンズ部５１の後端部と中心レンズ部５２の後端部との間を一体に連結する円環状で、その背面側には、半径方向中間部分、即ち外周レンズ部５１と中心レンズ部５２との間に対応する位置に円筒状の後部導光部５４が後ろ向きに突設されている。また、連結レンズ部５３は、その前面側が後広がりの円錐面５３ａ、背面側の後部導光部５４よりも内側が後広がりの円錐面５３ｂを形成している。
【００２５】
後部導光部５４は、レンズ保持部３６の内周側に沿う円筒状で、例えば外周レンズ部５１と同程度の軸方向長さに形成されている。また、後部導光部５４には、レンズ保持部３６側の第１，第２係合部４９ａ，４９ｂに対応する例えば貫通孔よりなる第１，第２被係合部５７ａ，５７ｂが形成されており、上ケース部材３１ａと下ケース部材３１ｂとを上下に結合する際に、上ケース部材３１ａ側の第１係合部４９ａが第１被係合部５７ａに、下ケース部材３１ｂ側の第２係合部４９ｂが第２被係合部５７ｂに夫々係合されることにより、後部導光部５４がレンズ保持部３６に対して軸方向及び回転方向に固定されるようになっている。
【００２６】
また、後部導光部５４の外側には、外周レンズ部５１の後端側から後ろ向きに延設された外周延設部５８が配置されており、後部導光部５４がレンズ保持部３６側に固定されたとき、外周延設部５８の後端側がレンズ保持部３６の先端面に略当接するようになっている。また、外周延設部５８の後端側には、レンズ保持部３６側の第１，第２突起部４８ａ，４８ｂに対応する切り欠き部（結合保持部）５９が形成されており、上ケース部材３１ａと下ケース部材３１ｂとを上下に結合する際に、上ケース部材３１ａ側の第１突起部４８ａと下ケース部材３１ｂ側の第２突起部４８ｂとが一つの切り欠き部５９に後側から嵌合することにより、上ケース部材３１ａと下ケース部材３１ｂとが結合状態で保持されるようになっている。
【００２７】
以上のような発光演出手段２４を組み立てる際には、まずＬＥＤ基板３３を、その前面３３ａを前側のレンズ保持部３６側に向けた状態で上ケース部材３１ａ側に装着し、基板押さえ部材３８を上ケース部材３１ａ側に例えばねじ止めすることによりＬＥＤ基板３３を上ケース部材３１ａ側に固定する。
【００２８】
そして、図８に示すように、上ケース部材３１ａと下ケース部材３１ｂとを、まずレンズ保持部３６の先端側のみを上下に重ねて第１，第２突起部４８ａ，４８ｂを発光レンズ３４側の切り欠き部５９に後側から嵌合させた後、被駆動ギア３２を挟み込み、またハーネス４３をハーネス引き出し孔４２から後側に引き出しつつ、後側の本体ケース３５側まで全体を重ね合わせ、固定ねじ４６を下ケース部材３１ｂ側のねじ挿通孔４５ａを介して上ケース部材３１ａ側のねじ止めボス４５ｂにねじ込む。これにより、ケース体３１の前部のレンズ保持部３６側は発光レンズ３４の切り欠き部５９により、後部の本体ケース３５側は固定ねじ４６により夫々結合状態で固定される。
【００２９】
その際、上ケース部材３１ａ側の第１係合部４９ａが発光レンズ３４側の第１被係合部５７ａに、下ケース部材３１ｂ側の第２係合部４９ｂが発光レンズ３４側の第２被係合部５７ｂに夫々係合されるため、発光レンズ３４はレンズ保持部３６に固定される。このように、発光レンズ３４は、上ケース部材３１ａと下ケース部材３１ｂとを結合することによりその先端側のレンズ保持部３６に固定されると共に、そのレンズ保持部３６の先端側を結合状態で保持するようになっている。
【００３０】
また、この発光演出手段２４では、発光レンズ３４が、中心軸がＬＥＤ３９に対して前後方向に向くように配置された略円筒状の外周レンズ部５１と、この外周レンズ部５１の内側に同心状に配置された前向き膨出状の中心レンズ部５２と、外周レンズ部５１と中心レンズ部５２とをそれらの後端側で内外方向に連結する連結レンズ部５３とを一体に備えているため、ＬＥＤ３９から前向きに発せられた光が、主に中央の中心レンズ部５２に届いてこれを光らせると共に、中心レンズ部５２からの光が更に外側に屈折して外周レンズ部５１側を光らせることができる。これにより、外周レンズ部５１がレンズ保持部３６内の導光空間よりも外側に張り出しているにも拘わらず、発光レンズ３４の中心部と外周部とを別個に強く光らせることができる。
【００３１】
また、発光演出手段２４は、ＬＥＤ３９に対してその前側に前後方向に配置され且つその前端側に発光レンズ３４を保持する略円筒状のレンズ保持部３６を備え、発光レンズ３４は、連結レンズ部５３から後ろ向きに突設された略円筒状の後部導光部５４をレンズ保持部３６の内周側に前側から嵌合させた状態でレンズ保持部３６に保持されており、しかも後部導光部５４は、外周レンズ部５１と中心レンズ部５２との間に対応して設けられており、連結レンズ部５３の前面側は後広がりの円錐面状に形成されているため、後部導光部５４に入射した光を外周レンズ部５１側に送って外周レンズ部５１側をより強く光らせることができる。
【００３２】
連結レンズ部５３は、後部導光部５４よりも内側の背面側が後広がりの円錐面状に形成されているため、この面に入射した光を外周レンズ部５１側に屈折させて外周レンズ部５１側をより強く光らせることができる。また、中心レンズ部５２は、若干前細りの円筒状に形成された導光部５２ａとその前端側を塞ぐ発光部５２ｂとで構成されているため、中心レンズ部５２に入射した光を効率よく外周レンズ部５１側に送ることができる。更に、外周レンズ部５１の内面側に、前後方向の突条部５６が周方向に所定間隔で配置されているため、中心レンズ部５２側からの光をより効率よく受けることができる。
【００３３】
また、レンズ保持部３６は、二つのケース部材３１ａ，３１ｂを結合することにより構成され、それら二つのケース部材３１ａ，３１ｂ側に、それらを結合したときに発光レンズ３４側の第１，第２被係合部５７ａ，５７ｂに係合して発光レンズ３４を固定する第１，第２係合部４９ａ，４９ｂを設け、発光レンズ３４側に、二つのケース部材３１ａ，３１ｂを結合状態で保持する切り欠き部５９を設けているため、レンズ保持部３６の先端側については、固定ねじ等を用いることなく発光レンズ３４を固定すると共にレンズ保持部３６の先端側を結合状態で保持できる利点がある。
【００３４】
以上、本発明の実施形態について詳述したが、本発明はこれらの実施形態に限定されるものではなく、本発明の趣旨を逸脱しない範囲で種々の変更が可能である。例えば、発光体３９はＬＥＤに限らずフィラメント電球等を用いてもよい。中心レンズ部５２は、後側から受けた光を外周レンズ部５１側に屈折させることができる形状であればよく、例えばその全体を半球状に構成してもよい。また、中心レンズ部５２の先端側は平坦面としてもよい。
【００３５】
連結レンズ部５３の前面側は例えば前広がりの円錐面状に形成してもよい。このとき、後部導光部５４により導かれた光の屈折方向は後広がりの円錐面状とした場合とは内外逆になる。
【００３６】
上下のケース部材３１ａ，３１ｂ側の第１，第２係合部４９ａ，４９ｂを凹部とし、発光レンズ３４側の第１，第２被係合部５７ａ，５７ｂをその凹部に係合する突起としてもよい。第１，第２係合部４９ａ，４９ｂは、その大きさと、レンズ保持部３６の先端側からの距離との何れか一方のみを異ならせてもよい。また上下の取付方向を問題にしない場合には、それらが共に同じとなるように構成してもよい。
【００３７】
なお、実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【図面の簡単な説明】
【００３８】
【図１】本発明の一実施形態を示すパチンコ機の全体斜視図である。
【図２】遊技盤の正面図である。
【図３】発光演出手段の斜視図である。
【図４】発光演出手段の分解斜視図である。
【図５】発光演出手段の側面断面図である。
【図６】発光演出手段の平面断面図である。
【図７】図５におけるＡ−Ａ断面図である。
【図８】発光演出手段の組み立て手順を示す説明図である。
【符号の説明】
【００３９】
２４    発光演出手段
３１ａ  上ケース部材（ケース部材）
３１ｂ  下ケース部材（ケース部材）
３４    発光レンズ
３６    レンズ保持部
３９    発光体
４９ａ  第１係合部（係合部）
４９ｂ  第２係合部（係合部）
５１    外周レンズ部
５２    中心レンズ部
５２ａ  導光部
５２ｂ  発光部
５３    連結レンズ部
５４    後部導光部
５６    突条部
５７ａ  第１被係合部（被係合部）
５７ｂ  第２被係合部（被係合部）
５９    切り欠き部（結合保持部）
【図１】
0004630322.tif 000002
【図２】
0004630322.tif 000003
【図３】
0004630322.tif 000004
【図４】
0004630322.tif 000005
【図５】
0004630322.tif 000006
【図６】
0004630322.tif 000007
【図７】
0004630322.tif 000008
【図８】
0004630322.tif 000009